(57)【要約】      （修正有）【課題】  輸液チューブ中に気泡が混入するかまたは空であることを検出するためにより廉価な構成による検出を可能にでき、かつまた輸液チューブの状態如何によらず正確な検出を行うことのできる送液装置及びその送液方法を提供する。【解決手段】  輸液チューブ１を用いて薬液または透析液を送液する送液装置であって、輸液チューブ１の対向する外周面を略平らに変形させて挟持する部材を１組の電極２、３とし、夫々リード線４を接続し、輸液チューブの肉厚部ｔと、１組の電極２、３で挟まれた輸液チューブ１の容積部とを、コンデンサ容量としたコンデンサとして構成し、薬液または透析液が容積部内に存在する状態と、存在しない状態との間で変化するコンデンサ容量に基づき輸液チューブ中の送液状態を判断する。【選択図】  図２
2007296134.tif 000002
【特許請求の範囲】
【請求項１】
輸液チューブを用いて薬液または透析液を送液する送液装置であって、
前記輸液チューブの対向する外周面を略平らに変形させて挟持する部材を１組の電極とし、前記１組の電極に夫々リード線を接続し、
前記輸液チューブの肉厚部と、前記１組の電極で挟まれた前記輸液チューブの容積部とを、コンデンサ容量としたコンデンサとして構成し、
前記薬液または前記透析液が前記容積部内に存在する状態と、前記薬液または前記透析液が前記容積部内に存在しない状態との間で変化する前記コンデンサ容量に基づき、前記輸液チューブ中の送液状態を判断する判断手段を備えることを特徴とする送液装置。
【請求項２】
前記輸液チューブの横断面形状を略矩形に弾性変形させるための保持手段を備え、
前記１組の電極は、前記輸液チューブの肉厚部の端部に当接する第１電極と、前記輸液チューブの対向する外周面に当接する第２電極とから構成され、
前記輸液チューブの比誘電率をεrとし、空気の誘電率をεoとし、前記第１電極の前記輸液チューブの長手方向に沿う距離をＬとし、前記第１電極間の距離をｄとし、前記肉厚部の厚さをｔとして、前記第１電極を備えるコンデンサ容量をＣ１として、前記第１電極を備えるコンデンサ容量を、Ｃ１＝εr・εo・Ｌｔ／ｄから求め、
前記第２電極の高さ寸法をｄ１とし、前記第２電極を備えるコンデンサ容量をＣ２として、前記第２電極を備えるコンデンサ容量を、Ｃ２・１＝εr・εo・Ｌｄ１／ｔから求め、
さらに、前記第２電極の間の距離であるｄから前記肉厚部の２倍の厚さ２ｔを引いた距離をｄ２とし、前記電極間に空気が存在するコンデンサ容量をＣ２・２として、前記電極間に空気が存在するコンデンサ容量を、Ｃ２・２＝εo・Ｌｄ１／ｄ２から求めることで、Ｃ２＝（１／Ｃ２・１＋１／Ｃ２・２＋１／Ｃ２・１）−１を求め、
前記電極間に前記薬液または前記透析液が存在するコンデンサ容量をＣ２として、
Ｃ２＝（２／Ｃ２・１）−１から求めることを特徴とする請求項１に記載の送液装置。
【請求項３】
前記送液装置は輸液装置として構成され、前記薬液は輸液バックまたはシリンジを含む容器に収容され、前記容器に前記輸液チューブを接続し、前記判断手段により前記薬液が前記容積部内に存在しない状態であると判断されると、気泡混入の警告を発生する警告手段を備えたことを特徴とする請求項１または２に記載の送液装置。
【請求項４】
前記送液装置は腹膜透析装置として構成され、前記透析液を前記輸液チューブを介して患者の腹腔内に透析液を供給し、使用済み透析液を排液として回収して透析を行うために、  前記透析液が充填されるとともに前記輸液チューブが接続された透析液容器と、
前記使用済み透析液を回収する排液容器と、
前記透析液容器を起点あるいは前記排液容器を終点として、前記透析液を送液する送液手段と、を備え、
前記輸液チューブの対向する外周面を平らに変形させてから挟持する部材を１組の電極とし、前記１組の電極に夫々リード線を接続し、
前記輸液チューブの肉厚部と、前記１組の電極で挟まれた前記輸液チューブの容積部とを、コンデンサ容量としたコンデンサとして構成し、
前記透析液が前記容積部内に存在する状態と、前記透析液が前記容積部内に存在しない状態との間で変化する前記コンデンサ容量に基づき、前記輸液チューブ中の送液状態を判断する判断手段と、
前記判断手段により前記透析液が前記容積部内に存在しない状態であると判断されると気泡混入の警告を発生する警告手段と、を備えることを特徴とする請求項１または２に記載の送液装置。
【請求項５】
前記判断手段は、前記コンデンサの前記リードの一方をトリガー端子と、スレシュホールド（堰）端子とに接続し、他方の前記リードを接地するとともに、抵抗器を介して出力端子に接続した第１タイマー素子と、前記第１タイマー素子の前記出力端子をトリガー端子に接続した第２タイマー素子と、フリップ・フロップ素子とを有する回路構成であるあることを特徴とする請求項１乃至４のいずれか１項に記載の送液装置。
【請求項６】
輸液チューブを用いて薬液または透析液を送液する送液装置の送液方法であって、
前記輸液チューブの対向する外周面を略平らに変形させて挟持する部材を１組の電極とし、前記１組の電極に夫々リード線を接続し、前記輸液チューブの肉厚部と、前記１組の電極で挟まれた前記輸液チューブの容積部とを、コンデンサ容量としたコンデンサを用いるとともに、
前記薬液または前記透析液が前記容積部内に存在する状態と、前記薬液または前記透析液が前記容積部内に存在しない状態との間で変化する前記コンデンサ容量に基づき、前記輸液チューブ中の送液状態を判断手段により判断する工程を備えることを特徴とする送液装置の送液方法。
【発明の詳細な説明】
【技術分野】
【０００１】
本発明は、輸液チューブを用いて薬液または透析液を送液する送液装置およびその送液方法に関するものである。
【背景技術】
【０００２】
輸液チューブを用いて薬液を送液するために輸液チューブに蠕動運動を与えることで送液を行う輸液装置が提案されている。この輸液装置によれば、輸液チューブ中に気泡が混入することを検出し、警告を発生させるために超音波による気泡検出を行う気泡センサを設けている。（特許文献１）
また、腹膜透析方法（Continuous Ambulatory Peritoneal Dialysis、以下「ＣＡＰＤ」ともいう）による腹膜透析装置によれば、患者自身が自宅や職場で透析液の容器（バッグ）の交換を行うことができるため、社会復帰しやすく、大いに注目されているが、このＣＡＰＤは、患者の腹膜内に輸液チューブであるカテーテルチューブ（腹膜カテーテル）を留置し、このカテーテルチューブの体外端にトランスチューブを接続し、これに透析液の入った透析液バッグ（注液バッグ）のバッグチューブを接続し、各チューブを通じてバッグ内の透析液を腹膜内に注液し、所定時間透析を行った後に腹膜内の透析液排液を各チューブを通じて、排液バッグ内に回収するものである。このように使用される腹膜透析装置によれば、輸液チューブ中に気泡が混入するかまたは透析液が空になったことを検出するための超音波による気泡検出を行うように構成されている。（特許文献２）
このＣＡＰＤにおいては、透析液の腹膜内への注液は、透析液バッグを患者の腹部から１ｍ程度高い位置に置き、その重力落差によって透析液を透析液バッグから腹膜内の腹部内（腹部内）に移送している。また、腹膜内からの透析液排液の回収は、排液バッグを患者の腹部から１ｍ程度低い位置に置き、その落差によって透析液を腹膜内から排液バッグへ移送している。
【０００３】
一方、このような透析液の注液及び排液方法では、例えば、患者が就寝中に腹膜透析を行う場合には、ベッドを用いて患者を床から７０〜１００ｃｍ程度高い位置に寝かせ、さらに、患者より１ｍ程度高い位置に透析液バッグをセットする必要がある。このために、装置全体の高さが２ｍ程度と大型なものとなり、取り扱いや運搬がしにくいばかりか、就寝中の患者が寝返りを打つこと等により送液用チューブを抑えて閉塞させ、透析注液及び排液が流れなくなる虞れがある。これに対する防止策として、流量センサの他に、閉塞検出器を設けて閉塞のアラームを発生および解除を行うように構成されたシステムも知られている。（特許文献３）
【特許文献１】特許第３２５６０１３号公報
【特許文献２】特表２００６−５１２１３８号公報
【特許文献３】特許第３１１３８８７号公報
【発明の開示】
【発明が解決しようとする課題】
【０００４】
しかしながら、上記のように輸液チューブ中に気泡が混入することを検出するために気泡センサを超音波式とした場合には、超音波発信器と受信器と、これらに付随するアンプ回路等が必要となる。このためコストアップを招くのでより廉価な構成のものが望まれていた。また、超音波式の気泡センサによれば輸液チューブと各送受信器の密着度を十分に行わないと正確な検出ができないことから、例えば表面に粗加工した輸液チューブでは密着度合いが十分にできず検出できない場合もあった。
【０００５】
一方、腹膜透析装置において気泡が腹膜内に混入することを防止するために気泡センサを設けている。
【０００６】
したがって、本発明は上記の事情に鑑みてなされたものであり、輸液チューブの状態如何によらず輸液チューブ中に気泡が混入することを、より廉価な構成で正確に検出することのできる送液装置及びその送液方法の提供を課題としている。
【課題を解決するための手段】
【０００７】
上述した課題を解決するために、本発明によれば、輸液チューブを用いて薬液または透析液を送液する送液装置であって、前記輸液チューブの対向する外周面を略平らに変形させて挟持する部材を１組の電極とし、前記１組の電極に夫々リード線を接続し、前記輸液チューブの肉厚部と、前記１組の電極で挟まれた前記輸液チューブの容積部とを、コンデンサ容量としたコンデンサとして構成し、前記薬液または前記透析液が前記容積部内に存在する状態と、前記薬液または前記透析液が前記容積部内に存在しない状態との間で変化する前記コンデンサ容量に基づき、前記輸液チューブ中の送液状態を判断する判断手段を備えることを特徴としている。
【０００８】
また、前記輸液チューブの横断面形状を略矩形に弾性変形させるための保持手段を備え、前記１組の電極は、前記輸液チューブの肉厚部の端部に当接する第１電極と、前記輸液チューブの対向する外周面に当接する第２電極とから構成され、前記輸液チューブの比誘電率をεrとし、空気の誘電率をεoとし、前記第１電極の前記輸液チューブの長手方向に沿う距離をＬとし、前記第１電極間の距離をｄとし、前記肉厚部の厚さをｔとして、前記第１電極を備えるコンデンサ容量をＣ１として、前記第１電極を備えるコンデンサ容量を、Ｃ１＝εr・εo・Ｌｔ／ｄから求め、前記第２電極の高さ寸法をｄ１とし、前記第２電極を備えるコンデンサ容量をＣ２として、前記第２電極を備えるコンデンサ容量を、Ｃ２・１＝εr・εo・Ｌｄ１／ｔから求め、さらに、前記第２電極の間の距離であるｄから前記肉厚部の２倍の厚さ２ｔを引いた距離をｄ２とし、前記電極間に空気が存在するコンデンサ容量をＣ２・２として、前記電極間に空気が存在するコンデンサ容量を、Ｃ２・２＝εo・Ｌｄ１／ｄ２から求めることで、Ｃ２＝（１／Ｃ２・１＋１／Ｃ２・２＋１／Ｃ２・１）−１を求め、前記電極間に前記薬液または前記透析液が存在するコンデンサ容量をＣ２として、Ｃ２＝（２／Ｃ２・１）−１から求めることを特徴としている。
【０００９】
また、前記送液装置は輸液装置として構成され、前記薬液は輸液バックまたはシリンジを含む容器に収容され、前記容器に前記輸液チューブを接続し、前記判断手段により前記薬液が前記容積部内に存在しない状態であると判断されると、気泡混入の警告を発生する警告手段を備えたことを特徴としている。
【００１０】
また、前記送液装置は腹膜透析装置として構成され、前記透析液を前記輸液チューブを介して患者の腹腔内に透析液を供給し、使用済み透析液を排液として回収して透析を行うために、前記透析液が充填されるとともに前記輸液チューブが接続された透析液容器と、前記使用済み透析液を回収する排液容器と、前記透析液容器を起点あるいは前記排液容器を終点として、前記透析液を送液する送液手段と、を備え、前記輸液チューブの対向する外周面を平らに変形させてから挟持する部材を１組の電極とし、前記１組の電極に夫々リード線を接続し、前記輸液チューブの肉厚部と、前記１組の電極で挟まれた前記輸液チューブの容積部とを、コンデンサ容量としたコンデンサとして構成し、前記透析液が前記容積部内に存在する状態と、前記透析液が前記容積部内に存在しない状態との間で変化する前記コンデンサ容量に基づき、前記輸液チューブ中の送液状態を判断する判断手段と、前記判断手段により前記透析液が前記容積部内に存在しない状態であると判断されると空状態の警告を発生する警告手段と、を備えることを特徴としている。
【００１１】
また、前記判断手段は、前記コンデンサの前記リードの一方をトリガー端子と、スレシュホールド（堰）端子とに接続し、他方の前記リードを接地するとともに、抵抗器を介して出力端子に接続した第１タイマー素子と、前記第１タイマー素子の前記出力端子をトリガー端子に接続した第２タイマー素子と、フリップ・フロップ素子とを有する回路構成であるあることを特徴としている。
【００１２】
そして、輸液チューブを用いて薬液または透析液を送液する送液装置の送液方法であって、前記輸液チューブの対向する外周面を略平らに変形させて挟持する部材を１組の電極とし、前記１組の電極に夫々リード線を接続し、前記輸液チューブの肉厚部と、前記１組の電極で挟まれた前記輸液チューブの容積部とを、コンデンサ容量としたコンデンサを用いるとともに、前記薬液または前記透析液が前記容積部内に存在する状態と、前記薬液または前記透析液が前記容積部内に存在しない状態との間で変化する前記コンデンサ容量に基づき、前記輸液チューブ中の送液状態を判断手段により判断する工程を備えることを特徴としている。
【００１３】
その他の本発明の特徴は、以下の発明を実施するための最良の形態の記載及び添付図面により明らかになるものである。
【発明の効果】
【００１４】
本発明によれば、輸液チューブの対向する外周面を略平らに変形させて挟持する部材を１組の電極とし、これらの１組の電極で挟まれた輸液チューブの容積部としたコンデンサとして構成することで、薬液または透析液が容積部内に存在する状態と存在しない状態との間で変化するコンデンサ容量の変化に基づき輸液チューブ中の送液状態を判断することで、気泡検出または空（カラ）検出すなわち液面レベル検出を廉価な構成で実現可能になる。
【発明を実施するための最良の形態】
【００１５】
以下に、本発明の送液装置について輸液装置と腹膜透析装置として構成した事例について添付図面に示す各実施形態に基づいて詳細に説明する。なお、以下に示す各実施形態の構成は、ほんの一例であり、液体の流量（流速）を制御する血液分離装置、血液透析装置等の医療用機器にも適用可能であり、これによって本発明の技術的範囲が限定的に解釈されるものではないことは言うまでもない。
【００１６】
先ず、図１は、軟質樹脂製の輸液チューブ１を用いて薬液バッグ入りの薬液を蠕動運動で送液する蠕動式の輸液装置１００の外観斜視図である。
【００１７】
この輸液装置１００は、蠕動運動することで輸液チューブに蠕動運動を与えるフィンガーを含むポンピング作動部と、各種プログラムを記録したＲＯＭ，ＲＡＭ素子と、輸液条件を設定する入力部、表示部とを接続したＣＰＵ（制御部）を備えている。
【００１８】
本図において、輸液チューブ１の上流側には輸液バッグが接続されており、輸液チューブ１の途中部位に蠕動運動を与える蠕動フィンガー１０２上に図示のようにセットされる。また、この輸液チューブ１は判断手段としての気泡センサ８を構成する１組の電極２、３の間に挟持されることで、輸液チューブ内に混入した気泡Ｋの有無検出を行うように構成されている。またドア部材１０１の上面には動作インジケータ１０４が設けられており、気泡有りの検出が行われると内蔵された発光ダイオードが各色に回転点滅して警告を発生して操作者に注意を促し、輸液を中止するようにしている。
【００１９】
また、輸液装置１００の前面にはヒンジ１０５により開閉自在に設けられたドア部材１０１が設けられている。このドア部材１０１の内側面には上記の蠕動フィンガー１０２に対向した押し板１０３と、上記の気泡センサ８に対向した保持手段であるジンバル部材７とが設けられている。またドア部材１０１には係止レバー１０６が設けられており、ドア部材１０１を矢印Ｄ方向に回動して輸液装置１００側の被係止部１０７に対する係止状態に維持すると、輸液チューブ１を押し板１０３と蠕動フィンガー１０２との間における挟持状態に維持するとともに、ジンバル部材７が気泡センサ８上に位置することで輸液チューブ１の横断面形状を略矩形または正方形に弾性変形させることで輸液チューブ１の対向する外周面を略平らに変形させて挟持することによりコンデンサを構成できるようにしている。
【００２０】
接続チューブ１は直径寸法７ｍｍ、肉厚約０．７ｍｍの円筒体として成形され、その構成材料としては軟質樹脂材料が使用される。この軟質樹脂材料としては、例えば、ポリエチレン、ポリプロピレン、エチレン−プロピレン共重合体、エチレン−酢酸ビニル共重合体（ＥＶＡ）等のポリオレフィン、ポリスチレン、ポリアミド、ポリイミド、ポリ−（４−メチルペンテンー１）、アイオノマー、アクリル系樹脂、ポリエチレンテレフタレート（ＰＥＴ）、ポリブチレンテレフタレート（ＰＢＴ）等のポリエステル、スチレン系、ポリオレフィン系、ポリウレタン系、ポリエステル系、ポリアミド系等の各種熱可塑性エラストマー、シリコーン樹脂、ポリウレタン等、またはこれらを主とする共重合体、ブレンド体、ポリマーアロイ等が挙げられ、これらのうちの１種または２種以上を組み合わせて（例えば２層以上の積層体として構成しても良い。
【００２１】
次に、図２（ａ）は輸液チューブ１を破断して示した気泡センサ８の立体模式図、（ｂ）は（ａ）をさらに分解して示した立体模式図である。
【００２２】
まず、図２（ａ）において、気泡センサ８に輸液チューブ１がセットされると輸液チューブの横断面形状を略矩形に弾性変形させるための保持手段により、対向する外周面が略平らに変形されて１組の電極２、３で挟まれた状態となり、さらに輸液チューブ１の下面が輸液装置１００の形状部に対して当接されてフラットな状態となり、輸液チューブ１の上面は上記のジンバル部材７が当接することで図示のようなフラットな状態になる。
【００２３】
１組の電極２、３は良電気伝導特性の銅などの金属板にメッキ処理を施し端子部を一体形成して準備され、図示のようにリード線４、４が夫々接続される。１組の電極２、３の輸液チューブ１の長手方向に沿う距離Ｌを、電極２、３の間の距離ｄを有しており、輸液チューブ１の肉厚部の厚さはｔである。
【００２４】
次に、図２（ｂ）において、１組の電極２、３は、輸液チューブ１の肉厚部ｔの端部に当接する第１電極２ｂ、２ｂ、３ｂ、３ｂと、輸液チューブ１の対向する外周面に当接する第２電極２ａ、３ａに分解することができる。
【００２５】
そして、輸液チューブ１の比誘電率をεrとし、空気の誘電率をεoとし、第１電極２ｂ、２ｂ、３ｂ、３ｂを備えるコンデンサ容量をＣ１として、このコンデンサ容量Ｃ１＝εr・εo・Ｌｔ／ｄから求めることができる。
【００２６】
また、図２（ａ）に図示のように輸液チューブ１の当接部１ａに当接する第２電極２ａ、３ａの高さ寸法をｄ１とし、第２電極を備えるコンデンサ容量をＣ２とすると、第２電極２ａ、３ａを備えるコンデンサ容量はＣ２・１＝εr・εo・Ｌｄ１／ｔから求めることができる。
、さらに、図３（ａ）、（ｂ）の模式図を参照して、第２電極２ａ、３ａの間の距離であるｄから肉厚部の２倍の厚さ２ｔを引いた距離をｄ２とし、電極間に空気が存在するコンデンサ容量をＣ２・２とすると、コンデンサ容量Ｃ２・２＝εo・Ｌｄ１／ｄ２から求めることができるので、Ｃ２＝（１／Ｃ２・１＋１／Ｃ２・２＋１／Ｃ２・１）−１の式から輸液チューブ１中に気泡が存在するかまたは空の状態にあるときのコンデンサ容量を求めることができる。
【００２７】
また、図３（ｂ）において電極２ａ、３ａ間に薬液Ｇが存在するコンデンサ容量をＣ２とするとＣ２＝（２／Ｃ２・１）−１からコンデンサ容量を求めることができる。
【００２８】
以上のように、気泡センサ８を輸液チューブ１の容積部をコンデンサ容量としたコンデンサとして構成することで、薬液Ｇが容積部内に存在する状態と、薬液Ｇが容積部内に存在しない状態との間で変化するコンデンサ容量から輸液チューブ１中の送液状態を判断することが可能になる。この気泡センサ８を判断手段である回路に接続することで気泡検出を行えることになる。
【００２９】
図４は、気泡センサ８を接続した回路構成図である。本図において、第１と第２の２個のタイマー素子ＬＭＣ５５５を図示のように配線し、電力供給をＶ端子から夫々受けるとともに、気泡センサ８を上記のように構成するためのコンデンサＣのリード線４を一方のタイマー素子ＬＭＣ５５５のトリガー端子とスレシュホールド（堰）端子とに接続し、他方のリード線４を接地するとともに、抵抗器Ｒｃを介して出力端子に接続している。
【００３０】
また、この第１タイマー素子の出力端子を第２タイマー素子ＬＭＣ５５５のトリガー端子に接続し、図示のようにフリップ・フロップ素子１３に対して接続している。
【００３１】
以上の回路構成により、発振クロックの立下りパスルで一定幅のパルスを作成し、気泡センサ８の接続されているタイマー素子の発振クロックの立下りパルスで、その一定幅のパルスが「１」であるか「０」であるかをフリップ・フロップ素子１３において作成して薬液中の気泡Ｋの有無を判断することが可能になる。
【００３２】
すなわち、上記の薬液Ｇが存在するコンデンサ容量Ｃ２＝（２／Ｃ２・１）−１から、薬液Ｇが存在しないコンデンサ容量Ｃ２＝（１／Ｃ２・１＋１／Ｃ２・２＋１／Ｃ２・１）−１に変動することを静電容量変化として検出して、輸液チューブ１中に気泡が存在するかを簡単な回路構成で検出することができる。
【００３３】
なお、輸液装置としては上記のように薬液を輸液バックに収容したものを使用するタイプまたは薬液をシリンジを含む容器に収容し輸液チューブを接続したシリンジポンプ、ローラ式輸液装置などがあり、気泡混入の警告を発生する警告発生機能を備えた各種装置が含まれる。
【００３４】
次に、図５は、送液装置を腹膜透析装置２００として構成した配管図である。本図において、腹膜透析装置２００は、二点鎖線で示したカセット体１１と、透析液を溜めた複数の透析バッグ２０４と、予備バッグ２０５と、排液バッグ２０６とを接続チューブ１で接続することで患者の腹腔に連通する流路を形成し、透析液を患者の腹腔内に送液する接続状態にする。
【００３５】
本図において、腹膜透析装置２００は、着脱可能に装着される腹膜透析装置用のカセット体１１を設けている。このため、カセット体１１を前面から装着するための開口部と回動されることで開口部を覆う状態に固定する蓋部材と、表示部と、治療の開始操作を行うための開始スイッチと、治療の停止操作を行うための停止スイッチとを有している。
【００３６】
カセット体１１の本体には送液手段の被作動部であるダイヤフラム８７と加温部９と流路切換部１１１、１１２、１１３、１１４、１１５、１１６、１１７、１１８が図示のように一体形成されている。
【００３７】
一方、その容積が約３５００ｍｌの透析バッグ２０４は５個分がプラグ３７を介してチューブ３５に接続されるとともに、スタンドに設けられた一対のフックに対して一対の孔部を挿入することで吊るす状態にしてセットされる。この結果、各透析バッグ２０４の容積部の底面に接続されたチューブ３５を介して透析液が供給されるとともに使用済の透析液の回収を行えることとなる。
【００３８】
また、排液バッグ２０６はプラグ３７を用いてチューブに接続される。カセット体１１はカム機構によりチューブが閉塞され、弾性力で元の状態に戻ることで開くように各クランプが機能する。上記のように排液バッグ、予備バッグ、透析バッグがプラグとクランプを介して接続されるチューブは、接続チューブ１に対してＴ字管で合流している。また、この接続チューブ１を取り囲むようにして上記のコンデンサとして構成される気泡センサ８、８が設けられており、接続チューブ１内に流入する大きい気泡検出を行うことで、気泡混入があった場合にはその旨を知らせ、動作を停止することで気泡が腹腔に入ることを未然に防止するようにしている。上記の加温部９は蛇行流路８３が接続されており、面ヒータで上下方向から挟むことで温度上昇を短時間で行うように構成されている。
【００３９】
各面ヒータの温度は温度センサでモニターされることで各ヒータが適温になるように温度制御され、加温部９で温度上昇された透析液の温度検出を行い、温度センサとともに温度制御のためのフィードバック系を構成して、体温に近い温度に透析液を維持できるようにしている。
【００４０】
ここで、各バッグ、接続チューブおよび加温部、ダイヤフラムの構成材料は、それぞれ軟質樹脂材料が使用される。この軟質樹脂材料としては、例えば、ポリエチレン、ポリプロピレン、エチレン−プロピレン共重合体、エチレン−酢酸ビニル共重合体（ＥＶＡ）等のポリオレフィン、ポリスチレン、ポリアミド、ポリイミド、ポリ−（４−メチルペンテンー１）、アイオノマー、アクリル系樹脂、ポリエチレンテレフタレート（ＰＥＴ）、ポリブチレンテレフタレート（ＰＢＴ）等のポリエステル、スチレン系、ポリオレフィン系、ポリ塩化ビニル系、ポリウレタン系、ポリエステル系、ポリアミド系等の各種熱可塑性エラストマー、シリコーン樹脂、ポリウレタン等、またはこれらを主とする共重合体、ブレンド体、ポリマーアロイ等が挙げられ、これらのうちの１種または２種以上を組み合わせて（例えば２層以上の積層体として）用いることができる。
【００４１】
以上の各ダイヤフラム８７は、特開２００３−０００７０４号公報に詳細に記載されているエア回路で送液を行うことができるが、これに限定されずチューブの外周面に作用することで蠕動運動を行う蠕動式、ローラポンプ式であっても良い。
【００４２】
以上説明した腹膜透析装置２００によれば、透析液が存在するコンデンサ容量Ｃ２＝（２／Ｃ２・１）−１から、透析液が存在しないコンデンサ容量Ｃ２＝（１／Ｃ２・１＋１／Ｃ２・２＋１／Ｃ２・１）−１に変動することを静電容量変化として気泡センサ８、８で検出して、輸液チューブ１中に気泡が存在するかを簡単な回路構成で確実に検出することができる。
【図面の簡単な説明】
【００４３】
【図１】軟質樹脂製の輸液チューブ１を用いて薬液バッグ入りの薬液を蠕動運動で送液する蠕動式の輸液装置１００の外観斜視図である。
【図２】（ａ）は輸液チューブ１を破断して示した気泡センサ８の立体模式図、（ｂ）は（ａ）をさらに分解して示した立体模式図である。
【図３】（ａ）は輸液なしのコンデンサの模式図、（ｂ）は輸液有りのコンデンサの模式図である。
【図４】気泡センサ８を接続した回路構成図である。
【図５】送液装置を腹膜透析装置２００として構成した配管図である。
【符号の説明】
【００４４】
１  接続チューブ
２、３  電極
４  リード線
１００  輸液装置
２００  腹膜透析装置
【図１】
2007296134.tif 000003
【図２】
2007296134.tif 000004
【図３】
2007296134.tif 000005
【図４】
2007296134.tif 000006
【図５】
2007296134.tif 000007